(57)【要約】【課題】天板の高さを簡単に調整ができるようにするとともに、管理者以外は天板の高さを容易に調整できないようにできる天板支持構造を提供する。【解決手段】所定間隔を隔てて相互に平行に立設された一対の側板１００と、一対の前記側板の間に保持される天板１２０と、一対の前記側板それぞれにその上下方向に沿って取り付けられた第１柱１３０−１と、前記第１柱に沿って設けられた第２柱１３０−２と、前記第１柱に取り付けられて前記天板を支える受具１４０と、前記天板に設けられて前記天板を前記第２柱に固定するためのロックＬとを備える。【選択図】              図４
2010063838.tif 000002
【特許請求の範囲】
【請求項１】
所定間隔を隔てて相互に平行に立設された一対の側板と、前記側板を相互に連結する背面板と、一対の前記側板の間に保持される天板と、一対の前記側板それぞれにその上下方向に沿って取り付けられた第１柱と、前記第１柱に沿って設けられた第２柱と、前記第１柱に取り付けられて前記天板を支える受具と、前記天板に設けられて前記天板を前記第２柱に固定するためのロックとを備え、
前記ロックは、鍵を差し込んで回すことでそこからピンが突出するものであり、前記第２柱に設けられた開口に前記ピンが嵌り込むことで前記天板が固定されることを特徴とする天板支持構造。
【請求項２】
前記第１柱を複数備え、前記第２柱は複数の前記第１柱の間に設けられ、
前記ロックは前記天板の端であって、前記天板の裏面に設けられることを特徴とする請求項１記載の天板支持構造。
【請求項３】
前記第１柱と前記第２柱にはそれぞれ複数の開口が規則的に設けられ、かつ、前記第１柱と前記第２柱における前記複数の開口の位置は一致し、
前記ロックは、前記天板に設けられた予め定められた深さの溝に取り付けられているか、又は、予め定められた厚さのスペーサを介して前記天板に取り付けられており、これにより前記天板が前記受具で保持された状態で前記ロックのピンが前記第２柱の前記複数の開口のひとつに嵌り込むことを特徴とする請求項１又は請求項２記載の天板支持構造。
【請求項４】
所定間隔を隔てて相互に平行に立設された一対の側板と、前記側板を相互に連結する背面板と、一対の前記側板の間に保持される天板と、一対の前記側板それぞれにその上下方向に沿って取り付けられた第１柱と、前記第１柱に沿って設けられた第２柱と、前記第１柱に取り付けられて前記天板を支える受具と、前記天板に設けられて前記天板を前記第２柱に固定するためのロックとを備え、前記天板は天板として機能する机であって、前記ロックは、鍵を差し込んで回すことでそこからピンが突出するものであり、前記第２柱に設けられた開口に前記ピンが嵌り込むことで前記天板が固定されることを特徴とする机。
【発明の詳細な説明】
【技術分野】
【０００１】
本発明は、書籍、各種の日用品あるいは雑貨等を陳列するための什器に用いられる棚板や、読書や学習、作業などを行うための什器である机の天板の支持構造に係り、特に、位置可変の天板を固定可能なものに関する。
【背景技術】
【０００２】
例えば、学習用のデスクにおいて、使用者の体格に合わせて天板の高さを調整できるものが知られている。
【０００３】
【特許文献１】特開平７−２５５５３７号公報
【発明の開示】
【発明が解決しようとする課題】
【０００４】
今までのデスクにおいて、天板の高さ調整に工具が必要であって、管理者がすぐに高さ調整できないものがあった。この点を改善したデスクもあり、これには工具不要で天板の高さを簡単に調整ができるというメリットがあるが、逆にそのために児童生徒がいたずらをしてデスクを破損してしまうという問題があった。
【０００５】
この発明は、前記問題を解決するためになされたもので、天板の高さを簡単に調整ができるようにするとともに、管理者以外は天板の高さを容易に調整できないようにできる天板支持構造を提供することを目的とする。
【課題を解決するための手段】
【０００６】
この発明に係る天板支持構造は、所定間隔を隔てて相互に平行に立設された一対の側板と、前記側板を相互に連結する背面板と、一対の前記側板の間に保持される天板と、一対の前記側板それぞれにその上下方向に沿って取り付けられた第１柱と、前記第１柱に沿って設けられた第２柱と、前記第１柱に取り付けられて前記天板を支える受具と、前記天板に設けられて前記天板を前記第２柱に固定するためのロックとを備え、
前記ロックは、鍵を差し込んで回すことでそこからピンが突出するものであり、前記第２柱に設けられた開口に前記ピンが嵌り込むことで前記天板が固定されるものである。
【０００７】
前記第１柱を複数備え、前記第２柱は複数の前記第１柱の間に設けられ、
前記ロックは前記天板の端であって、前記天板の裏面に設けられるようにしてもよい。
【０００８】
前記第１柱と前記第２柱にはそれぞれ複数の開口が規則的に設けられ、かつ、前記第１柱と前記第２柱における前記複数の開口の位置は一致し、
前記ロックは、前記天板に設けられた予め定められた深さの溝に取り付けられているか、又は、予め定められた厚さのスペーサを介して前記天板に取り付けられており、これにより前記天板が前記受具で保持された状態で前記ロックのピンが前記第２柱の前記複数の開口のひとつに嵌り込む、ようにしてもよい。
【発明を実施するための最良の形態】
【０００９】
以下、本発明の一実施形態を図面に基づいて説明する。図１〜図４は、机を示すがこれは一例である。
【００１０】
図１は、本発明の実施の形態に係る什器（例えば机）の正面図を示す。
図２は、図１のＡ−Ａ矢視断面図を示す。
図３は、図１のＢ−Ｂ矢視断面図を示す。
図４は、本発明の実施の形態に係る什器を、その正面斜め下から天板の端部を見上げた図を示す。
【００１１】
これらの図において、書籍、各種の日用品あるいは雑貨等を陳列するための什器、あるいは読書や学習、作業などを行うための机は、所定間隔を隔てて相互に平行に立設された一対の側板１００と、これら側板１００を相互に連結する背面プレート１１０と、一対の側板１００の間に設けられる天板（机の場合は「天板」と呼ばれる）１２０と、一対の前記側板１００それぞれにその上下方向に沿って互いに平行に取り付けられた２つの第１柱１３０−１と、それらの間に同様に設けられた第２柱１３０−２と、第１柱１３０−１に取り付けられて天板１２０を支える受具１４０と、天板１２０の下側（裏面）に設けられて天板１２０を固定するためのロックＬとを備える。ロックＬは、鍵Ｋを差し込んで回すことでそこからピン２が突出する。第２柱１３０−２に設けられた開口にピン２が嵌り込むことで、天板１２０を固定する。ロックＬの構造については、後に詳しく説明する。
図１の什器は、この前に椅子を置いて天板１２０上で読書や書き物をするような机である。この机は、例えば、学校の図書室や特別教室で使用されるものであるが、普通教室でも使用可能である。
なお、本発明は、前記什器や前記机などに適用できる。本発明は、前記机ではそれに取り付けられる天板を支持する機構であり、棚などの前記什器ではそれに取り付けられる棚板を支持する機構である。両者では支持する対象が棚板と天板で異なっているが、両者には実質的な違いはなく、天板と棚板いずれも板状の物体であり本発明による機構で支持できるものである。本願明細書では、専ら「天板」という用語を用いるが、これには「棚板」をも含むことを理解されたい。
【００１２】
第１柱１３０−１は受具１４０を介して、天板１２０を保持する。第１柱１３０−１には受具１４０を受けるための小さな長方形の開口が、等間隔で多数設けられている（この発明の実施の形態においては、第２柱１３０−２についても同様である）。受具１４０はＬ字型の小さな金具で、前記開口に嵌り込んで保持される。受具１４０は着脱自在で、受具１４０を第１柱１３０−１のどの開口に嵌め込むかで、天板１２０の高さ位置を調整できる。これらの各構成部材は、スチール材等の金属材料を適宜板金加工して形成されるが、用いられる材料は本発明を何等限定するものではない。第１柱１３０−１及び受具１４０は公知のものであり、詳しく説明しない。
【００１３】
天板１２０の端部にロックＬが取り付けられている。正確には、天板１２０が受具１４０で保持されている状態において、ロックＬのピン２が突出したとき、それが第２柱１３０−２の開口に嵌り込むように、ロックＬは取り付けられている。ロックＬの取り付け位置（高さ）については、後に詳しく説明する。
【００１４】
図１〜図４及び上記説明から理解できるように、天板１２０は上下可動式で、複数の位置で固定できるようになっている。繰り返すが、ロックＬが天板１２０の裏面（表面であってもよい）に設けられ、ロックＬから側板１００に向けてピン２が出るようになっている。側板１００に取り付けられた第２柱１３０−２には、ピン２を受ける穴が設けられている。ロックＬに鍵Ｋを入れて回すことでピンが出て第２柱１３０−２の穴にはまり込み、天板１２０を可動することができなくなる。鍵Ｋを抜くとその状態が維持されるので天板を上下に動かすことができない。したがって、管理者以外の者によるいたずらを防止することができる。管理者はロックＬの鍵Ｋを使用することでロックを解除し、特段の工具を用いることなく、容易に天板１２０を上下に動かすことができる。
【００１５】
次に、ロックＬの構造について説明を加える。
図５はロックＬの正面図、図６は背面図、図７は平面図、図８は斜視図、図９はプレートを取り外した状態の正面図を示す。
【００１６】
図５乃至図９において、１は全体が正方形状に形成された錠本体で、その錠本体１の内部には、図９に示すようにピン２を具備する略Ｄ字状のスライド体３が上下動自在に収納されている。
【００１７】
４は、前記スライド体３に形成された孔で、全体が略三角形状に形成されてなるとともに、その三角形の３つの頂点となる部分が円弧状に形成され、且つ該孔４には、舌片5aが一体的に取り付けられた回転体５が挿入されている。尚、該回転体５には略正方形状の小孔６が穿設され、該小孔６に、錠本体１の背面側から突設された突起７が挿入されている。
【００１８】
８は、前記錠本体１の４角のコーナー部の近傍に穿設された取付用孔を示す。
【００１９】
９は、前記錠本体１と同形の正方形状に形成されたプレートで、その４角のコーナー部の近傍には、前記錠本体１の取付用孔８と連通しうる取付用孔10が穿設されている。
【００２０】
11は、略円筒状の外筒で、前記プレート９に突設状態で固着されている。
【００２１】
12は、前記外筒11内に、偏芯した状態で且つ回転自在に内装された内筒で、その略中央に鍵孔13が形成されている。尚、この鍵孔13は、プレート９の中央に位置するように形成されている。
【００２２】
そして、上記外筒11と内筒12とは、ロックＬとしての公知の内部機構（図示せず）を具備している。
【００２３】
14は、前記ピン２を出没させるための出没用孔で、前記錠本体１の上部に穿設されている。
【００２４】
15は、前記プレート９の裏面側の中央に突設された突起で、前記回転体５の小孔６に挿入可能に形成されている。
【００２５】
鍵（図示せず）を内筒12の鍵孔13内に差し込んで図１１の矢印イ方向に回動させると、内筒12も同方向に回動する。
【００２６】
この結果、錠本体１内の回転体５が図１２に示すように矢印ハ方向に回転し、その回転体５が回転する結果、該回転体５に一体的に取り付けられた舌片5aが、該回転体５を中心として回転する。そして、舌片5aが所定の角度回転したとき、舌片5aの先端部が孔４、すなわち全体が略三角形状に形成されてなるとともに、その三角形の３つの頂点となる部分が円弧状に形成された孔４に隣接するスライド体３の内周縁部3aに接触し、舌片5aがそのまま回転運動を続けると、スライド体３の内周縁部3aとの接触状態が持続し、その結果、舌片5aの回転に伴ってスライド体３が図１２の矢印ニ方向に押し上げられることとなる。それによって該スライド体３と一体形成されたピン２が、図１１及び図１２の矢印ロ方向に移動して錠本体１の出没用孔14から突出する。
【００２７】
このようにしてピン２が錠本体１から突出すると、図１３（ｃ）（ｄ）に示すように当該ピン２は第２柱１３０−２の開口Ｈ内に進入し、それによって天板１２０の移動が禁止されて施錠状態となる。
【００２８】
この発明の実施の形態に係る天板支持構造によれば、天板に鍵付きのロックを設けたので、天板の高さを簡単に調整ができるようにする一方で、管理者以外は天板の高さを調整できないようにできる。
【００２９】
図１３は、天板１２０におけるロックＬの取り付け位置（高さ）の説明図である。受具１４０の構造、それによる天板１２０の位置、開口Ｈの間隔、ロックＬのピン２の位置に応じて、ロックＬを適切に取り付けないと、天板１２０を固定できない。その例を示すのが図１３である。
【００３０】
図１３（ａ）は、図１のＡ−Ａ矢視断面図である。図２と同じであるが、説明の便宜上、柱１３０−１，１３０−２を拡大しており、縮尺の点で一致しない。図１３は概念図であり、構造及び作用を説明するための図であると理解されたい。図１３（ｂ）は受具１４０のＸ−Ｘ矢視断面図、図１３（ｃ）はスペーサＳに取り付けられたロックＬに関するＹ−Ｙ矢視断面図、図１３（ｄ）は溝に取り付けられたロックＬに関するＺ−Ｚ矢視断面図である。なお、図１３は天板１２０を点線で表示している。
【００３１】
図１３における第１柱１３０−１と第２柱１３０−２にはそれぞれ複数の開口が規則的（等間隔）に設けられ、第１柱１３０−１と第２柱１３０−２における複数の開口の位置は一致しているものとする。
【００３２】
そして、図１３に示すように、ロックＬは、天板１２０が受具１４０で保持された状態でそのピン２が第２柱１３０−２の複数の開口Ｈのひとつに嵌り込むように天板１２０に設けられた溝に取り付けられている（図１３（ｄ））か、又は、予め定められた厚さのスペーサＳを介して天板１２０に取り付けられている（図１３（ｃ））。
【００３３】
後述するが、上記のように構成することで、どれを第１柱とし、どれを第２柱とするか任意に選択できるようになる。
【００３４】
上記溝の深さとスペーサＳの厚みは、例えば次のように設定するとよい。
【００３５】
天板１２０が受具１４０で保持された状態において、天板１２０の面（ロックＬが取り付けられている面、図１３の例では裏面）に最も近い開口までの距離ｕを求める。
【００３６】
図１３（ｃ）は、下側に位置する最も近い開口ＨにロックＬのピン２を嵌め込んだ状態を示す。天板１２０の面から最も近い開口の中心までの距離をｕ（ｕ＞０）、ロックＬの取り付け面からピン２の中心までの距離をｒ（ｒ＞０）、スペーサＳの厚みをｐ（ｐ＞０）とすると、ｐ＝ｕ−ｒとなる。
【００３７】
図１３（ｄ）は、上側に位置する最も近い開口ＨにロックＬのピン２を嵌め込んだ状態を示す。天板１２０の面から最も近い開口の中心までの距離をｕ（ｕ＞０）、ロックＬの取り付け面からピン２の中心までの距離をｒ（ｒ＞０）、溝の深さをｑ（ｑ＞０）とすると、ｑ＝ｕ＋ｒとなる。
【００３８】
ロックＬの取り付け位置を上記のようにすることで、第１柱１３０−１と第２柱１３０−２について同じもので共用できるというメリットが生じる。すなわち、天板固定機能を備えるかどうかは天板１２０で選択することができ、側板１００とその柱１３０の構造には依存しなくなる。天板１２０をロックＬ付きのものとすることでロック付きにすること、あるいは天板１２０を通常のロックＬ無しのものとすることでロック無しにすることが容易に行える。
【００３９】
また、複数の柱１３０を備える場合に、どれを第１柱とし、どれを第２柱とするか任意に選択できる。例えば、ロックＬを一番奥に設けることで、上記例とは違って、一番奥の柱１３０−１を天板１２０の固定に用い、手前の２つの柱１３０−１と１３０−２を天板１２０の保持に使用することができる。このように、ロックＬの位置を自由に選択することができるようになる。作業性を良くする際にはロックＬを手前に配置し、いたずらされないようにするにはロックＬを一番奥に配置する、といったことができる。
なお、ロックＬを中央の柱１３０−２に係合するようにすれば、天板（天板）１２０ががたがたすることが少なくなる。
【００４０】
また、ひとつの受具１４０で天板１２０を支えることができるのであれば（例えば、背面板１１０に天板１２０の端を受ける溝が設けられているような場合）、図１などにおける３つの柱１３０のひとつを省略してもよい。つまり、第１柱１３０−１はひとつであってもよい。この場合も、ロックＬの位置は手前又は奥側のいずれでも選択可能である。
【００４１】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４２】
【図１】本発明の実施の形態に係る什器の正面図である。
【図２】図１のＡ−Ａ矢視断面図である。
【図３】図１のＢ−Ｂ矢視断面図である。
【図４】本発明の実施の形態に係る什器を正面斜め下から見上げた図である。
【図５】ロックの正面図である。
【図６】ロックの背面図である。
【図７】ロックの平面図である。
【図８】ロックの斜視図である。
【図９】プレートを取り外した状態のロックの正面図である。
【図１０】プレートの背面図である。
【図１１】ロックのピンの突出状態の正面図である。
【図１２】ロックのピンを突出した状態の、プレート取外し状態のロックの正面図である。
【図１３】本発明の実施の形態における天板のロックの取り付け高さの説明図である。
【符号の説明】
【００４３】
２  ロックのピン
１００  側板
１１０  背面板
１２０  天板
１３０−１  第１柱
１３０−２  第２柱
１４０  受具
Ｌ  ロック
Ｈ  開口
Ｋ  鍵
Ｓ  スペーサ
【図１】
2010063838.tif 000003
【図２】
2010063838.tif 000004
【図３】
2010063838.tif 000005
【図４】
2010063838.tif 000006
【図５】
2010063838.tif 000007
【図６】
2010063838.tif 000008
【図７】
2010063838.tif 000009
【図８】
2010063838.tif 000010
【図９】
2010063838.tif 000011
【図１０】
2010063838.tif 000012
【図１１】
2010063838.tif 000013
【図１２】
2010063838.tif 000014
【図１３】
2010063838.tif 000015